(57)【要約】【課題】縦紐と横紐とで形成されるメッシュの大きさを自由に変更することができることにより、植物の密度を場所に応じて任意に調整可能な緑化用ネットを提供する。【解決手段】縦紐と横紐とをメッシュ状に編組し、縦紐と横紐とが互いに交差する交差中心部の近傍を交差結合具で挟持して縦紐と横紐とを互いに結合する構成とした。【選択図】図１
2014183789.tif 000002
【特許請求の範囲】
【請求項１】
縦紐と横紐とをほぼ十字状またはＴ字状に交差して成るメッシュを形成したネットより成り、建造物等の外側に配設される緑化用ネットにおいて、
上記縦紐と横紐の、交差中心部の近傍を互いに結合する交差結合具を備えた緑化用ネット。
【請求項２】
上記交差結合具が、縦紐と横紐の交差中心部を挟持して結合することを特徴する請求項１記載の緑化用ネット。
【請求項３】
上記交差結合具は、縦紐と横紐との交差中心部をネットの一面側から覆う基台と、
上記交差中心部をネットの他面側から覆う蓋体と、を備え、
上記基台と蓋体との内側に、縦紐と横紐とを挟持する挟持部を設けたことを特徴とする請求項２記載の緑化用ネット。
【請求項４】
上記交差結合具が、縦紐と横紐の端部を保持して結合することを特徴とする請求項１記載の緑化用ネット。
【請求項５】
請求項１乃至請求項３いずれかに記載の緑化用ネットに用いられる交差結合具において、
上記交差結合具は、縦紐と横紐とをネットの一面側から覆う基台と、
上記縦紐と横紐とをネットの他面側から覆う蓋体と、
上記基台及び蓋体の内側に、縦紐と横紐とを挟持する挟持部とを備えたことを特徴とする交差結合具。
【請求項６】
請求項１または請求項４に記載の緑化用ネットに用いられる交差結合具において、
上記交差結合具は、縦紐または横紐の端部を保持する保持部と、
縦紐または横紐が収容される溝とを備えたことを特徴とする交差結合具。
【発明の詳細な説明】
【技術分野】
【０００１】
本発明は、縦紐と横紐とで形成されるメッシュの大きさを任意に調整可能な緑化用ネット等に関する。
【背景技術】
【０００２】
一般に、室内等の気温や日射等の調整を目的として、建造物の壁面等の緑化が試みられている。壁面等の緑化を行う方法の一つとして、縦紐と横紐とをメッシュ状に編組した緑化用ネットを壁面と対向するように設置した後、当該緑化用ネットの下部につる性植物等を植栽し、つる性植物を緑化用ネットに沿わせて生育させて日射を遮る方法が知られている。
例えば特許文献１に開示される緑化用ネットにおいては、メッシュの大きさが一定の緑化用ネットに植物を沿わせて生育させているが、従来はメッシュサイズが一定であるために、ネット上に生育した植物についても建造物の全表面に対して常にほぼ一定の密度をもって生育してしまい、例えば建造物の場所に応じて植物の密度を大きくするとか、あるいは小さくする等の要求を満足させることが困難であった。
【先行技術文献】
【特許文献】
【０００３】
【特許文献１】特開２００８−７９５１９号公報
【発明の概要】
【発明が解決しようとする課題】
【０００４】
本発明は、上記課題を解決するため、縦紐と横紐とのメッシュの大きさを自由に変更することができ、植物の密度を場所に応じて調整可能な緑化用ネットを提供することを目的とする。
【課題を解決するための手段】
【０００５】
上記課題を解決するため、本発明に係る緑化用ネットは、縦紐と横紐とをほぼ十字状またはＴ字状に交差して成るメッシュを形成したネットより成り、建造物等の外側に配設される緑化用ネットにおいて、縦紐と横紐の、交差中心部の近傍を互いに結合する交差結合具を備えた構成とした。
本発明によれば、交差結合具が、縦紐と横紐を挟持して縦紐と横紐とを互いに結合し、緑化用ネットを形成するので、縦紐と横紐とのメッシュ間隔を自由に変更でき、植物の密度を場所に応じて調整可能となる。
ここで、本発明に係る「縦紐と横紐を互いに結合する」とは、縦紐と横紐とを挟持して結合する形態のみならず、縦紐と横紐の端部を保持して結合する形態をも含むものである。
また、緑化用ネットの他の構成として、交差結合具が、縦紐と横紐の交差中心部を挟持して結合すれば、上記構成から生じる効果に加え、縦紐及び横紐を強固に結合することができる。
また、緑化用ネットの他の構成として、交差結合具、縦紐と横紐との交差中心部をネットの一面側から覆う基台と、交差中心部をネットの他面側から覆う蓋体とを備え、基台と蓋体との内側に、縦紐と横紐とを挟持する挟持部が設けられれば、上記構成から生じる効果に加え、縦紐及び横紐の交差中心部の近傍を簡易に結合することができる。
また、緑化用ネットの他の構成として、交差結合具が、縦紐と横紐の端部を保持して結合すれば、縦紐と横紐とをより簡易に結合することができる。
【図面の簡単な説明】
【０００６】
【図１】緑化用ネットの斜視図である。
【図２】緑化用ネットの使用状態を示す斜視図である。
【図３】緑化用ネット及び交差結合具の拡大斜視図である。
【図４】交差結合具の斜視図である。
【図５】交差結合具の断面図である。
【図６】緑化用ネットの設置例を示す概略図である。
【図７】緑化用ネットの他の設置例を示す概略図である。
【図８】緑化用ネットの結合パターンを示す斜視図である。
【図９】縦紐と横紐との結合パターンを示す模式図である。
【図１０】緑化用ネットの他の使用状態を示す斜視図である。
【図１１】実施形態２に係る交差結合具の斜視図及び断面図である。
【図１２】実施形態３に係る交差結合具の概略図である。
【発明を実施するための形態】
【０００７】
以下、発明の実施形態を通じて本発明を詳説するが、以下の実施形態は特許請求の範囲に係る発明を限定するものではなく、また実施形態の中で説明される特徴の組み合わせの全てが発明の解決手段に必須であるとは限らず、選択的に採用される構成を含むものである。
【０００８】
実施形態１
図１乃至図５は本発明による交差結合具を説明するための構成図であり、各図において、２０は交差結合具であり、１０は緑化用ネットである。この緑化用ネット１０は、ビル，住宅，マンション，アパート等の建造物１の壁面２等から一定の距離離間した位置に壁面２と対向して配設され、壁面２の前側や窓７ａ乃至７ｄの前側を緑化する。
【０００９】
緑化用ネット１０は、上部が建造物１の外側である壁面２から前方に突出する上フレーム３に図外の固定手段で固定され、下部が建造物１の下部側に位置される下フレーム４に図外の固定手段で固定される。
緑化用ネット１０の下部前方には、土壌等を収納する複数のプランター６が設置される。各プランター６には、アサガオ，へちま，ツルレイシ（ゴーヤ）等のつる性植物の苗８が複数植栽され、苗８が緑化用ネット１０を伝わって上方に向けて生育し、つるが緑化用ネット１０に絡みつつ、壁面２前方を緑化することで、日射を遮ることができる。
【００１０】
緑化用ネット１０は、複数本の縦紐１１と横紐１２とを互いに交差し、縦紐１１と横紐１２との複数の交差部を互いに結合することにより形成されるもので、この結合のために交差結合具２０を用いるものである。
【００１１】
縦紐１１は、例えば樹脂，繊維または金属等により形成され、上フレーム３から下フレーム４まで延長する。縦紐１１の配列間隔は、必要とされる緑化用ネット１０ごとに任意のメッシュ間隔に設定される。
なお、横紐１２は、縦紐１１と同様に樹脂，繊維または金属等により形成され、建造物１の緑化範囲における左端の縦紐１１Ｌから右側に位置する縦紐１１Ｒまで延長する。横紐１２の配列間隔は、必要とされる緑化用ネット１０ごとに任意の間隔に設定される。交差結合具２０が無い状態では、縦紐１１と横紐１２との交差部は、縦紐１１と横紐１２とが結合，固定されておらず、縦紐１１と横紐１２とが分離された（ばらばらの）状態である。
【００１２】
各図に示すように、交差結合具２０は、例えば樹脂からなる十字状の部材であり、縦紐１１と横紐１２との交差部を緑化用ネット１０の裏側から覆う基台２１と、基台２１と対向し、基台２１と係合した状態において縦紐１１と横紐１２とを表面側から覆う蓋体２５とを備える。蓋体２５は、ヒンジ部３０を介し基台２１に連結される。これにより、ヒンジ部３０を中心に蓋体２５を基台２１側に折って基台２１と蓋体２５とを対面させることができる。
【００１３】
基台２１は、交差中心部８０ａより互いに９０度の間隔で四方に突出して十字状となった４本の腕部５０ａ，５０ｂ，５０ｃ，５０ｄを有し、蓋体２５は、交差中心部８０ｂより互いに９０度の間隔で四方に突出して十字状となった４本の腕部５１ａ，５１ｂ，５１ｃ，５１ｄを有する。上記腕部５０ａ，５０ｂ，５０ｃ，５０ｄの内側には、交差中心部８０ａより腕部５０ａ，５０ｂ，５０ｃ，５０ｄの長手方向に沿って延長する断面Ｃ字状の収容溝２２ａ，２２ｂ，２２ｃ，２２ｄが形成される。また、腕部５１ａ，５１ｂ，５１ｃ，５１ｄの内側には、交差中心部８０ｂより腕部５１ａ，５１ｂ，５１ｃ，５１ｄの長手方向に沿って延長する断面Ｃ字状の収容溝２６ａ，２６ｂ，２６ｃ，２６ｄが形成される。
上記収容溝２２ａ，２２ｂ，２２ｃ，２２ｄと収容溝２６ａ，２６ｂ，２６ｃ，２６ｄとは、互いに対向した状態において縦紐１１，横紐１２を収容するための円形状の空間が形成される。なお、収容溝２２ａ，２２ｂは縦紐１１の保持用、収容溝２２ｃ，２２ｄは横紐１２の保持用、収容溝２６ａ，２６ｂは縦紐１１の保持用、収容溝２６ｃ，２６ｄは横紐１２の保持用である。
【００１４】
２７ａ，２７ｂ，２７ｃ，２７ｄは、交差中心部８０ｂの近傍に位置し、かつ蓋体２５の各収容溝２６ａ，２６ｂ，２６ｃ，２６ｄ内に互いに離間して２個ずつ設けられる円板状の押圧部であって、本実施形態においては合計で８個設けられる。各押圧部２７ａ，２７ｂ，２７ｃ，２７ｄは、蓋体２５の収容溝２６ａ，２６ｂ，２６ｃ，２６ｄから基台２１の収容溝２２ａ，２２ｂ，２２ｃ，２２ｄ側に突出し、当該押圧部２７ａ，２７ｂ，２７ｃ，２７ｄの突出側は、収容溝２２ａ，２２ｂ，２２ｃ，２２ｄの開口径よりも小径に形成される。押圧部２７ａ，２７ｂ，２７ｃ，２７ｄは、縦紐１１，横紐１２を挟持するための挟持部を基台２１に形成し、基台２１に蓋体２５を係合することにより、縦紐１１，横紐１２を収容溝２２の内周壁に押圧して挟持する。
【００１５】
２８ａは、蓋体２５の腕部５１ａの外周面側から基台２１の腕部５０ａの外周側に向かって突出する係止爪であり、基台２１の腕部５０ａの外周面を覆って把持するように湾曲形状を有する。係止爪２８ｂは、蓋体２５の腕部５１ｂの外周面側から基台２１の腕部５０ｂの外周側に向かって突出し、基台２１の腕部５０ｂの外周面を覆って把持するように湾曲形状を有する。係止爪２８ｃは、蓋体２５の腕部５１ｃの外周面側から基台２１の腕部５０ｃの外周側に向かって突出し、基台２１の腕部５０ｃの外周面を覆って把持するように湾曲形状を有する。係止爪２８ｄは、蓋体２５の腕部５１ｄの外周面側から基台２１の腕部５０ｄの外周側に向かって突出し、基台２１の腕部５０ｄの外周面を覆って把持するように湾曲形状を有する。なお、係止爪２８ａ，２８ｂ，２８ｃ，２８ｄの形状は腕部５０ａの外周に沿った湾曲形状に限定されるものではない。例えば図５（ｂ）に示すように、係止爪２８ａ，２８ｂ，２８ｃ，２８ｄにおける基台２１側の先端部２９を、外側に反った(突出した)形状とすれば、基台２１と蓋体２５との係合の際に係止爪２８ａ，２８ｂ，２８ｃ，２８ｄを基台２１に容易に嵌め込むことができる。
上記ヒンジ部３０は、腕部５０ａと腕部５０ｄの先端側の、腕部５０ａと腕部５０ｄの対向側に設けられ、フレキシブルな部材より成り、基台２１及び蓋体２５を開閉可能に連結する。
【００１６】
以上の構成において、縦紐１１と横紐１２の交差部を結合して緑化用ネット１０を形成するには、図４，図５に示すように、基台２１の収容溝２２ａ，２２ｂに結合すべき縦紐１１を収容し、収容溝２２ｃ，２２ｄに結合すべき横紐１２を収容して十字状の組み合わせを形成し、ヒンジ部３０；３０を中心として縦紐１１に対し、蓋体２５を被せて一体化する。この場合、係止爪２８ａ，２８ｂ，２８ｃ，２８ｄを広げて腕部５０ａ，５０ｂ，５０ｃ，５０ｄの外周に係止することにより、図５に示す過程で、押圧部２７ａ，２７ｂ，２７ｃ，２７ｄと、当該押圧部２７ａ，２７ｂ，２７ｃ，２７ｄが対向する収容溝２２ａ，２２ｂ，２２ｃ，２２ｄの底面とで縦紐１１，横紐１２の交差部、すなわち交差中心部８０ａ，８０ｂの近傍を挟むことができ、縦紐１１と横紐１２との結合が可能となる。これにより、図１に示すように、全体としてメッシュ状の緑化用ネット１０を形成できる。
【００１７】
この場合、図１に示す緑化用ネット１０において、例えば窓７ａに入射する日射Ａを大きく遮る必要性がある場合、窓７ａの前部側の縦紐１１，横紐１２により形成されるメッシュが小さくなるように、縦紐１１，横紐１２の数を増加して、縦紐１１，横紐１２の交差部を交差結合具２０で結合して、目の小さいメッシュを形成すればよい。
【００１８】
また、緑化用ネット１０において、窓７ｂ，７ｃに入射する日射Ｂ，Ｃを日射Ａよりも小さく遮り、ある程度の光の入射を許容して眺望を多少確保する場合、上述の窓７ａに対応する部位よりもメッシュを大きくなるように縦紐１１，横紐１２の数を減少して、縦紐１１，横紐１２の交差部を交差結合具２０で結合すればよい。これにより、ある程度の日射を遮りつつ、所望の眺望を確保できる。
【００１９】
また、緑化用ネット１０において、窓７ｄに入射する日射Ｄを大量に入射させて眺望を優先的に確保する場合、メッシュをさらに大きくなるように縦紐１１，横紐１２を減少し、メッシュを大きくした状態で、交差部を交差結合具２０で結合すればよい。このようなメッシュを有する縦紐１１によれば、図２に示すように、窓７ａ，７ｂ，７ｃ，７ｄの位置に応じて緑化状態を調整できる。
【００２０】
このように本実施形態の緑化用ネット１０によれば、建造物１の必要個所に応じて日射量と眺望量を調整できる効果が得られる。
なお、本発明の交差結合具２０を用いることにより、図６に示すように、建造物１の縦列の窓７全ての日射をより大きく遮る必要性がある場合、縦紐１１，横紐１２のメッシュを全ての窓７の縦列に合わせて小さく設定して緑化用ネット１０を形成すればよい。これにより、室温の昇温を抑制し易くなる。
あるいは、図７に示すように、窓７以外の外壁面に対してメッシュが小さくなるように、より多くの縦紐１１，横紐１２を用いて編組して緑化用ネット１０を構成すれば、全ての窓７の眺望をある程度確保しつつ、外壁面への日射を抑制でき、建造物１全体の昇温を抑えることができる。
【００２１】
なお、図８に示すように、日射Ａ，Ｂ，Ｃ，Ｄに対して、図８に示すようなメッシュパターンに縦紐１１，横紐１２を組み立てて、緑化用ネット１０を形成する場合について説明する。
図８のＰ１に示すように、右向きのＴ字状（Ｔ字を右回りに９０°回転させた形状）に縦紐１１，横紐１２を組み合わせて結合するには、１本の縦紐１１の左側に横紐１２の先端の右側を突き合わせて交差させて、交差結合具２０で結合してもよい。あるいは、図９（ａ）の各パターンに示すように、縦紐１１，横紐１２を突き合わせることや折り曲げることにより結合してもよい。
【００２２】
また、図８のＱ１に示すように、逆Ｔ字状（Ｔ字を右または左回りに１８０°回転させた形状）に縦紐１１，横紐１２を組み合わせて結合するには、１本の横紐１２の上側に縦紐１１の先端の下側を突き合わせて交差させて、交差結合具２０で結合してもよい。あるいは、図９（ｂ）の各パターンに示すように、縦紐１１，横紐１２を突き合わせることや折り曲げることにより結合してもよい。
また、図８のＲ１に示すように、左向きＴ字状（Ｔ字を左回りに９０°回転させた形状）に縦紐１１，横紐１２を組み合わせて結合するには、１本の縦紐１１の右側に横紐１２の先端の左側を突き合わせて交差させて、交差結合具２０で結合してもよい。あるいは、図９（ｃ）の各パターンに示すように、縦紐１１，横紐１２を突き合わせることや折り曲げることにより結合してもよい。
【００２３】
また、図８のＳ１に示すように、Ｔ字状に縦紐１１，横紐１２を組み合わせて結合するには、１本の横紐１２の下側に縦紐１１の先端の上側を突き合わせて交差させて、交差結合具２０で結合してもよい。あるいは、図９（ｄ）の各パターンに示すように、縦紐１１，横紐１２を突き合わせることや折り曲げることにより結合してもよい。
また、図８のＴ１に示すように、図４（後述する図１１）と同様の十字状に縦紐１１，横紐１２を組み合わせて結合するには、１本の縦紐１１と１本の横紐１２とを組み合わせて交差させて、交差結合具２０で結合してもよい。あるいは、図９（ｅ）の各パターンに示すように、縦紐１１，横紐１２を突き合わせることや折り曲げること、あるいは貫通させることにより結合してもよい。
要するに、図８，図９に示す通り、収容溝２２ａ，２２ｂ，２２ｃ，２２ｄ及び収容溝２６ａ，２６ｂ，２６ｃ，２６ｄには、縦紐１１または横紐１２が４本収容された形態だけでなく、２本収容された形態、あるいは３本収容された形態であっても、本発明の効果を得ることができる。
【００２４】
図１０は、図８に示すメッシュパターンに縦紐１１，横紐１２を組み立てて緑化した場合の外観を示すもので、窓７ｄに対し全く緑化が存在しない場合を形成でき、この窓７ｄの眺望を１００％確保することが可能となる。
【００２５】
実施形態２
図１１に示すように本実施形態における交差結合具７０は、圧入突起７２ａ，７２ｂ，７２ｃ，７２ｄにより縦紐１１と横紐１２とを収容溝２２ａ，２２ｂ，２２ｃ，２２ｄに形成した圧入孔７１ａ，７１ｂ，７１ｃ，７１ｄに圧入し、挟持して結合する点で上記交差結合具２０と異なる。
【００２６】
交差結合具７０における基台２１の収容溝２２ａ，２２ｂ，２２ｃ，２２ｄには、基台２１を貫通する円形の圧入孔７１ａ，７１ｂ，７１ｃ，７１ｄが開設される。
圧入突起７２ａ，７２ｂ，７２ｃ，７２ｄは、圧入孔７１ａ，７１ｂ，７１ｃ，７１ｄの位置と対応し、蓋体２５の収容溝２６ａ，２６ｂ，２６ｃ，２６ｄの途中に設けられる円柱状の突起体であって、基台２１及び蓋体２５が係合した状態において、蓋体２５の収容溝２６ａ，２６ｂ，２６ｃ，２６ｄから圧入孔７１ａ，７１ｂ，７１ｃ，７１ｄ側に向かって突出する。圧入突起７２ａ，７２ｂ，７２ｃ，７２ｄは、縦紐１１または横紐１２を圧入孔７１ａ，７１ｂ，７１ｃ，７１ｄに圧入するとともに、縦紐１１または横紐１２の一部を基台２１の壁面としての圧入孔７１ａ，７１ｂ，７１ｃ，７１ｄの壁面に押圧した状態で当該縦紐１１と横紐１２とを互いに結合する。また、圧入突起７２ａ，７２ｂ，７２ｃ，７２ｄの直径は、圧入孔７１ａ，７１ｂ，７１ｃ，７１ｄよりも小径であって、縦紐１１または横紐１２を圧入孔７１ａ，７１ｂ，７１ｃ，７１ｄに圧入した状態において、縦紐１１または横紐１２が圧入孔７１ａ，７１ｂ，７１ｃ，７１ｄの壁面に挟まれ、押し潰されるような大きさに形成される。
なお、圧入孔７１ａ，７１ｂ，７１ｃ，７１ｄを必須構成としたが、圧入突起７２ａ，７２ｂ，７２ｃ，７２ｄの長さを短くし、圧入突起７２ａ，７２ｂ，７２ｃ，７２ｄの先端を収容溝２２ａ，２２ｂ，２２ｃ，２２ｄの湾曲形状に対応させれば、圧入孔７１ａ，７１ｂ，７１ｃ，７１ｄを省略することもできる。
【００２７】
本実施形態の交差結合具７０によれば、基台２１と蓋体２５とが互いに係合されることにより、収容溝２６ａ，２６ｂ，２６ｃ，２６ｄから突出する圧入突起７２ａ，７２ｂ，７２ｃ，７２ｄが、縦紐１１または横紐１２を圧入孔７１ａ，７１ｂ，７１ｃ，７１ｄに圧入して圧入孔７１ａ，７１ｂ，７１ｃ，７１ｄの壁面に押圧するので、縦紐１１と横紐１２とをより強固に結合することができ、縦紐１１と横紐１２との抜けを確実に防止できる。
【００２８】
実施形態３
図１２に示すように本実施形態における交差結合具９０は、縦紐１１及び横紐１２が係止体としてのボール体９９を備え、交差結合具９０が当該ボール体９９を保持することにより、縦紐１１と横紐１２とを結合する点で上記各交差結合具２０，７０と異なる。
ボール体９９は、縦紐１１及び横紐１２の両端部にそれぞれ接続され、当該ボール体９９の直径は、後述する交差結合具９０のボール保持部９３ａ，９３ｂ，９３ｃ，９３ｄに挿入可能な大きさを有する。なお、係止体は、ボール体９９に限定されることなく、例えば矩形状、円柱状、円錐状、あるいは結び目等であってもよい。つまり、縦紐１１，横紐１２の端部をボール保持部９３ａ，９３ｂ，９３ｃ，９３ｄに挿入した場合、縦紐１１，横紐１２の端部が後述するスリット溝９４ａ，９４ｂ，９４ｃ，９４ｄの直径よりも大きく、かつ、ボール保持部９３ａ，９３ｂ，９３ｃ，９３ｄから抜け出ることがなければ、その形状は問わない。
【００２９】
交差結合具９０は、硬質性の樹脂や金属等からなる複数の筒状体９１ａ，９１ｂ，９１ｃ，９１ｄが十字状に組み合わされた形状であって、概略、当該交差結合具９０の中心に位置する開口部９２と、筒状体９１ａ，９１ｂ，９１ｃ，９１ｄの内部に形成され、ボール体９９を保持するボール保持部９３ａ，９３ｂ，９３ｃ，９３ｄと、筒状体９１ａ，９１ｂ，９１ｃ，９１ｄの長手方向に沿って形成されるスリット溝９４ａ，９４ｂ，９４ｃ，９４ｄとを備える。
【００３０】
開口部９２は、例えば上面視八角形状の開口であり、当該開口部９２を経由してボール体９９をボール保持部９３ａ，９３ｂ，９３ｃ，９３ｄに挿入するためのものである。
ボール保持部９３ａ，９３ｂ，９３ｃ，９３ｄは、各筒状体９１ａ，９１ｂ，９１ｃ，９１ｄの開口部９２側に設けられ、開口部９２から上下左右方向の外側に向かって断面視台形状に形成される。ボール保持部９３ａ，９３ｂ，９３ｃ，９３ｄの入口（開口部９２）側とボール保持部９３ａ，９３ｂ，９３ｃ，９３ｄの奥（開口部９２と反対）側とでは、入口側の方が広く、奥側にいくにしたがって漸次縮径することで、ボール体９９が確実に保持されるような形状に形成される。
スリット溝９４ａ，９４ｂ，９４ｃ，９４ｄは、筒状体９１ａ，９１ｂ，９１ｃ，９１ｄの延長方向に沿って延長する縦紐１１または横紐１２が収容される（嵌め込まれる）部分であって、筒状体９１ａ，９１ｂ，９１ｃ，９１ｄの外側から中心まで形成される。スリット溝９４ａ，９４ｂ，９４ｃ，９４ｄは、筒状体９１ａ，９１ｂ，９１ｃ，９１ｄの外側から中心側に向かうにつれて漸次縮径し、縦紐１１または横紐１２がスリット溝９４ａ，９４ｂ，９４ｃ，９４ｄから容易に抜け出ることを防止する。
【００３１】
ここで、本実施形態における筒状体９１ａ，９１ｂ，９１ｃ，９１ｄは、上記交差結合具２０，７０における基台２１，蓋体２５の腕部５０ａ，５０ｂ，５０ｃ，５０ｄ及び腕部５１ａ，５１ｂ，５１ｃ，５１ｄとして機能する。また、本実施形態のボール保持部９３ａ，９３ｂ，９３ｃ，９３ｄが、上記交差結合具２０，７０における基台２１，蓋体２５の挟持部としての押圧部２７ａ，２７ｂ，２７ｃ，２７ｄ、または、圧入孔７１ａ，７１ｂ，７１ｃ，７１ｄ及び圧入突起７２ａ，７２ｂ，７２ｃ，７２ｄとして機能する。さらに、スリット溝９４ａ，９４ｂ，９４ｃ，９４ｄが、上記交差結合具２０，７０における基台２１，蓋体２５の収容溝２２ａ，２２ｂ，２２ｃ，２２ｄ及び収容溝２６ａ，２６ｂ，２６ｃ，２６ｄとして機能する。
【００３２】
以上、本実施形態の交差結合具９０によれば、縦紐１１と横紐１２とに接続されるボール体９９をボール保持部９３ａ，９３ｂ，９３ｃ，９３ｄに挿入するだけで、ボール体９９と交差結合具９０とが互いに係合されるので、縦紐１１と横紐１２とをより簡易かつ迅速に結合，固定することができる。
【００３３】
なお、本発明では、メッシュ間隔が大きい緑化用ネット１０を形成し、メッシュ内に描きたい文字や絵の型を取り付けておけば、植物が型にのみ絡みつくので、型通りの文字や絵を容易に描くことができる。
また、植物が枯れた後、交差結合具２０の係合を解除するだけで、縦紐１１と横紐１２との結合が解除され、緑化用ネット１０を縦紐１１，横紐１２及び交差結合具２０の部品単位に分解することができるので、枯れた植物の除去や縦紐１１，横紐１２及び交差結合具２０とのメンテナンスが容易となり、延いては緑化用ネット１０の繰り返しの使用が可能となる。
また、縦紐１１，横紐１２は、化学繊維を撚り合せたものに限らず、細いワイヤ等を用いて形成してもよい。
また、緑化用ネット１０は、前後方向に傾斜を与えてもよい。
【００３４】
さらに、交差結合具２０の基台２１，蓋体２５は、十字状であるとして説明したが、四角形状等の他の形状であってもよく、内側に収容溝２２ａ，２２ｂ，２２ｃ，２２ｄ，収容溝２６ａ，２６ｂ，２６ｃ，２６ｄ及び押圧部２７ａ，２７ｂ，２７ｃ，２７ｄを形成したものであればよい。要は、交差中心部８０ａ，８０ｂの近傍に縦紐１１と横紐１２との交差中心部をネットの両側から挟持するものであればよい。また、交差中心部８０ａ，８０ｂ近傍を挟持可能であれば、収容溝２２ａ，２２ｂ，２２ｃ，２２ｄまたは収容溝２６ａ，２６ｂ，２６ｃ，２６ｄのいずれか一方、あるいは、収容溝２２ａ，２２ｂ，２２ｃ，２２ｄ及び収容溝２６ａ，２６ｂ，２６ｃ，２６ｄの両方を省略することも可能である。さらに、交差結合具２０，７０は、ヒンジ部３０を必須の構成としたが、例えばヒンジ部３０を設けることなく、それぞれ別体の基台２１と蓋体２５とを係合する形態としてもよい。
【符号の説明】
【００３５】
１０  緑化用ネット、１１  縦紐、１２  横紐、
２０  交差結合具、２１  基台、２２ａ，２２ｂ，２２ｃ，２２ｄ  収容溝、
２５  蓋体、２６ａ，２６ｂ，２６ｃ，２６ｄ  収容溝、
２７ａ，２７ｂ，２７ｃ，２７ｄ  押圧部、２８ａ，２８ｂ，２８ｃ，２８ｄ  係止爪、
３０  ヒンジ部、５０ａ，５０ｂ，５０ｃ，５０ｄ  腕部、
５１ａ，５１ｂ，５１ｃ，５１ｄ  腕部、
７０  交差結合具、７１ａ，７１ｂ，７１ｃ，７１ｄ  圧入孔、
７２ａ，７２ｂ，７２ｃ，７２ｄ  圧入突起、８０ａ，８０ｂ  交差中心部、
９０  交差結合具、９３ａ，９３ｂ，９３ｃ，９３ｄ  ボール保持部、
９４ａ，９４ｂ，９４ｃ，９４ｄ  スリット溝、９９  ボール体。
【図１】
2014183789.tif 000003
【図２】
2014183789.tif 000004
【図３】
2014183789.tif 000005
【図４】
2014183789.tif 000006
【図５】
2014183789.tif 000007
【図６】
2014183789.tif 000008
【図７】
2014183789.tif 000009
【図８】
2014183789.tif 000010
【図９】
2014183789.tif 000011
【図１０】
2014183789.tif 000012
【図１１】
2014183789.tif 000013
【図１２】
2014183789.tif 000014